(57)【要約】【課題】ブラジャー着用時の不快感を軽減することのできるインナーウェアを提供する。【解決手段】インナーウェア１は、ブラジャーの下に着用される下着として構成されている。また、バスト２１０に対応する部分に前面開口部１５が設けられていること、ブラジャーのストラップに対応する部位を覆う上部保護部１０を含むこと、ブラジャーのパネルに対応する部位を覆う下部保護部２０を含むこと、生地同士を接続および離間するための係止部材を含まないことを要件として構成されている。【選択図】図３
2011195994.tif 000002
【特許請求の範囲】
【請求項１】
ブラジャーの下に着用されるインナーウェアにおいて、
バストに対応する部分に開口部が設けられていること、
ブラジャーのストラップに対応する部位を覆う上部保護部を含むこと、
ブラジャーのパネルに対応する部位を覆う下部保護部を含むこと、
生地同士を接続および離間するための係止部材を含まないこと
を特徴とするインナーウェア。
【請求項２】
請求項１に記載のインナーウェアにおいて、
互いに縫い合わせられた生地の端が体表面とは反対側に向けて倒されている
ことを特徴とするインナーウェア。
【請求項３】
請求項１または２に記載のインナーウェアにおいて、
前記下部保護部は、２枚の生地が重ね合わせられた二重構造を有する
ことを特徴とするインナーウェア。
【請求項４】
請求項１〜３のいずれか一項に記載のインナーウェアにおいて、
前記上部保護部は、２枚の生地が重ね合わせられた二重構造を有する
ことを特徴とするインナーウェア。
【請求項５】
請求項４に記載のインナーウェアにおいて、
前記上部保護部は、肩よりも下方の部位を覆う肩下部と、肩の上部を覆う肩上部とを含むとともに、前記肩上部を構成する２枚の生地の少なくとも一方には、前記肩下部を構成する２枚の生地よりも厚手のものが用いられている
ことを特徴とするインナーウェア。
【請求項６】
請求項１〜５のいずれか一項に記載のインナーウェアにおいて、
当該インナーウェアは、バストを下方から持ち上げて内側に寄せるためのバスト矯正部を含むものであり、
このバスト矯正部は、同矯正部の周囲に設けられた弱伸縮性生地よりも伸縮性の強い強伸縮性生地を含むものである
ことを特徴とするインナーウェア。
【請求項７】
請求項６に記載のインナーウェアにおいて、
前記バスト矯正部は、前記強伸縮性生地よりも伸縮性の弱い弱伸縮性生地と前記強伸縮性生地とが重ね合わせられた二重構造を有する
ことを特徴とするインナーウェア。
【請求項８】
請求項１〜７のいずれか一項に記載のインナーウェアにおいて、
当該インナーウェアは、胸部側面を外側から内側に向けて押すための側部矯正部を含むものであり、
この側部矯正部は、同矯正部の周囲に設けられた弱伸縮性生地よりも伸縮性の強い強伸縮性生地を含むものである
ことを特徴とするインナーウェア。
【請求項９】
請求項８に記載のインナーウェアにおいて、
前記側部矯正部は、前記強伸縮性生地よりも伸縮性の弱い弱伸縮性生地と前記強伸縮性生地とが重ね合わせられた二重構造を有する
ことを特徴とするインナーウェア。
【請求項１０】
請求項１〜９のいずれか一項に記載のインナーウェアにおいて、
上肢を露出する形状の上衣として構成される
ことを特徴とするインナーウェア。
【発明の詳細な説明】
【技術分野】
【０００１】
本発明は、ブラジャーの下に着用されるインナーウェアに関する。
【背景技術】
【０００２】
一般的なブラジャーには、バストを支えるためのストラップが設けられている。また矯正用のブラジャーには、バストを寄せて持ち上げるためのワイヤーがカップ下部のパネル内に挿入されている。このようなストラップやワイヤーは、ブラジャーの主要な部分を形成する生地に比べて硬いため、ブラジャーを着用したユーザに対して不快感を与えるものとなる。
【０００３】
特許文献１には、ブラジャーを着用したときのユーザの不快感を軽減するためのインナーウェアとして、ブラジャーの下に着用するボディーサポータが提案されている。このボディーサポータの上に矯正用ブラジャーを着用した場合には、ブラジャーのワイヤーやストラップがボディーサポータの上に位置するため、ユーザがブラジャーから受ける不快感が軽減される。
【先行技術文献】
【特許文献】
【０００４】
【特許文献１】特開２００６‐１９３８３３号公報
【発明の概要】
【発明が解決しようとする課題】
【０００５】
ところで、上記ボディーサポータの前面には同サポータの生地同士を互いに接続および離間するためのフックアイが設けられている。フックアイが設けられている箇所は、ボディーサポータを構成する他の部位の生地よりも硬いため、ユーザがフックアイと肌との接触により不快感を覚えることが考えられる。
【０００６】
本発明はこのような実情に鑑みてなされたものであり、その目的は、ブラジャー着用時の不快感を軽減することのできるインナーウェアを提供することにある。
【課題を解決するための手段】
【０００７】
以下、上記目的を達成するための手段およびその作用効果について記載する。
（１）請求項１に記載の発明は、ブラジャーの下に着用されるインナーウェアにおいて、バストに対応する部分に開口部が設けられていること、ブラジャーのストラップに対応する部位を覆う上部保護部を含むこと、ブラジャーのパネルに対応する部位を覆う下部保護部を含むこと、生地同士を接続および離間するための係止部材を含まないことを要旨としている。
【０００８】
この発明のインナーウェアによれば、上部保護部が設けられているため、ユーザが当該インナーウェアおよびブラジャーを着用したとき、ブラジャーのストラップは上部保護部の上に位置する。また、下部保護部が設けられているため、ユーザが当該インナーウェアおよびブラジャーを着用したとき、ブラジャーのパネルは下部保護部の上に位置する。また、開口部が設けられているため、ユーザが当該インナーウェアを着用したとき、バストがブラジャーのカップにより直接的に保持される。また、係止部材を含むことなく構成されているため、ユーザが当該インナーウェアを着用したときに係止部材と肌との接触により不快感を覚えることはない。すなわち上記発明によれば、ブラジャー着用時の不快感を軽減することができる。
【０００９】
（２）請求項２に記載の発明は、請求項１に記載のインナーウェアにおいて互いに縫い合わせられた生地の端が体表面とは反対側に向けて倒されていることを要旨としている。
この発明のインナーウェアによれば、生地の端が体表面とは反対側に向けて倒されているため、ユーザが同ウェアを着用したときに生地の端が肌に触れることが抑制される。従って、インナーウェアの着心地をより良いものにすることができる。
【００１０】
（３）請求項３に記載の発明は、請求項１または２に記載のインナーウェアにおいて、前記下部保護部は、２枚の生地が重ね合わせられた二重構造を有することを要旨としている。
【００１１】
この発明のインナーウェアによれば、下部保護部には２枚の生地が重ね合わせられた二重構造が採用されているため、ユーザが当該インナーウェアおよびブラジャーを着用したとき、ブラジャーのパネルに対応する部分の肌は２枚の生地により覆われる。従って、パネル内のワイヤーがユーザに与える不快感をより軽減することができる。
【００１２】
（４）請求項４に記載の発明は、請求項１〜３のいずれか一項に記載のインナーウェアにおいて、前記上部保護部は、２枚の生地が重ね合わせられた二重構造を有することを要旨としている。
【００１３】
この発明のインナーウェアによれば、上部保護部には２枚の生地が重ね合わせられた二重構造が採用されているため、ユーザが当該インナーウェアおよびブラジャーを着用したとき、ブラジャーのストラップに対応する部分の肌は２枚の生地により覆われる。従って、ストラップがユーザに与える不快感をより軽減することができる。
【００１４】
（５）請求項５に記載の発明は、請求項４に記載のインナーウェアにおいて、前記上部保護部は、肩よりも下方の部位を覆う肩下部と、肩の上部を覆う肩上部とを含むとともに、前記肩上部を構成する２枚の生地の少なくとも一方には、前記肩下部を構成する２枚の生地よりも厚手のものが用いられていることを要旨としている。
【００１５】
この発明のインナーウェアによれば、ブラジャーのストラップから肌に対してより大きな力が加えられる肩上部に厚手の生地が設けられているため、ストラップがユーザに与える不快感をより軽減することができる。
【００１６】
（６）請求項６に記載の発明は、請求項１〜５のいずれか一項に記載のインナーウェアにおいて、当該インナーウェアは、バストを下方から持ち上げて内側に寄せるためのバスト矯正部を含むものであり、このバスト矯正部は、同矯正部の周囲に設けられた弱伸縮性生地よりも伸縮性の強い強伸縮性生地を含むものであることを要旨としている。
【００１７】
この発明のインナーウェアによれば、バストを下方から持ち上げて内側に寄せるためのバスト矯正部が設けられているため、ブラジャー着用時の不快感を軽減することに加えてバストの形を整えることもできる。
【００１８】
（７）請求項７に記載の発明は、請求項６に記載のインナーウェアにおいて、前記バスト矯正部は、前記強伸縮性生地よりも伸縮性の弱い弱伸縮性生地と前記強伸縮性生地とが重ね合わせられた二重構造を有することを要旨としている。
【００１９】
この発明のインナーウェアによれば、バスト矯正部には強伸縮性生地および弱伸縮性生地が重ね合わせられた二重構造が採用されているため、同矯正部が１枚の生地により構成される場合と比べて、バストの形を整える効果をより高めることができる。
【００２０】
（８）請求項８に記載の発明は、請求項１〜７のいずれか一項に記載のインナーウェアにおいて、当該インナーウェアは、胸部側面を外側から内側に向けて押すための側部矯正部を含むものであり、この側部矯正部は、同矯正部の周囲に設けられた弱伸縮性生地よりも伸縮性の強い強伸縮性生地を含むものであることを要旨としている。
【００２１】
ブラジャーを着用したときには、胸部側面の脂肪がパネルの外側にはみ出すことにともない脂肪の段が形成されやすい。上記発明のインナーウェアによれば、胸部側面を外側から内側に向けて押すための側部矯正部が設けられているため、胸部側面の脂肪が内側に押さえ込まれる。従って、ブラジャーを着用したときに胸部側面に脂肪の段が形成されることを抑制することができる。
【００２２】
（９）請求項９に記載の発明は、請求項８に記載のインナーウェアにおいて、前記側部矯正部は、前記強伸縮性生地よりも伸縮性の弱い弱伸縮性生地と前記強伸縮性生地とが重ね合わせられた二重構造を有することを要旨としている。
【００２３】
この発明のインナーウェアによれば、側部矯正部には強伸縮性生地および弱伸縮性生地が重ね合わせられた二重構造が採用されているため、同矯正部が１枚の生地により構成される場合と比べて、胸部側面に脂肪の段が形成されることを抑制する効果をより高めることができる。
【００２４】
（１０）請求項１０に記載の発明は、請求項１〜９のいずれか一項に記載のインナーウェアにおいて、上肢を露出する形状の上衣として構成されることを要旨としている。
この発明のインナーウェアは、上肢を露出する形状の上衣として構成されるため、半袖被服の下に着用することができる。
【図面の簡単な説明】
【００２５】
【図１】本発明のインナーウェアの一実施形態について、同ウェアの正面構造を示す正面図。
【図２】同実施形態のインナーウェアについて、その背面構造を示す背面図。
【図３】同実施形態のインナーウェアについて、ユーザに着用された状態の正面構造を示す正面図。
【図４】同実施形態のインナーウェアについて、ユーザに着用された状態の背面構造を示す背面図。
【図５】同実施形態のインナーウェアについて、ユーザに着用された状態の側面構造を示す側面図。
【図６】同実施形態のインナーウェアについて、ユーザに着用された状態かつ同ウェアの上にブラジャーが着用された状態の正面構造を示す正面図。
【図７】同実施形態のインナーウェアについて、ユーザに着用された状態かつ同ウェアの上にブラジャーが着用された状態の背面構造を示す背面図。
【図８】同実施形態のインナーウェアについて、ユーザに着用された状態かつ同ウェアの上にブラジャーが着用された状態の側面構造を示す側面図。
【図９】本発明のインナーウェアのその他の実施形態について、ユーザに着用された状態の正面構造を示す正面図。
【図１０】本発明のインナーウェアのその他の実施形態について、（ａ）はユーザに着用された状態の正面構造を示す正面図、（ｂ）はユーザに着用された状態の背面構造を示す背面図。
【図１１】本発明のインナーウェアのその他の実施形態について、ユーザに着用された状態の正面構造を示す正面図。
【発明を実施するための形態】
【００２６】
図１〜図８を参照して、本発明の一実施形態について説明する。
本実施形態では、上肢を覆う部分を含まないランニングタイプのインナーウェアとして本発明を具体化した一例を示している。なお、図１〜図８では、インナーウェア１を構成する各生地同士の縫い目を実線で、また生地の裏側に縫い付けられた別の生地の縫い目を破線で示している。以降の説明において、「生地の裏側」は各生地において人体と向き合う側を、「生地の表側」は各生地において裏側とは反対側をそれぞれ示すものとする。また、「内側」は人体の左右方向において体軸側を、「外側」は人体の左右方向において体軸側とは反対側をそれぞれ示すものとする。
【００２７】
図１および図２に示されるように、インナーウェア１は、主にブラジャーのストラップに対応する部分を覆う上部保護部１０と、主にブラジャーのパネルに対応する部分を覆う下部保護部２０とを含む。
【００２８】
上部保護部１０は、人体の前面においてブラジャーのストラップが人体に与える不快感を軽減するための前面上部保護部１１と、人体の背面においてブラジャーのストラップが人体に与える不快感を軽減するための背面上部保護部１２と、肩においてブラジャーのストラップが人体に与える不快感を軽減するための肩保護部１３とを含む。また、上部保護部１０および下部保護部２０の前面においてこれら保護部１０，２０にまたがり設けられてバストの形を整えるためのバスト矯正部１４の一部も含む。
【００２９】
下部保護部２０は、人体の前面においてブラジャーのパネルが人体に与える不快感を軽減するための前面下部保護部２１と、人体の背面においてブラジャーのパネルが人体に与える不快感を軽減するための背面下部保護部２２とを含む。また、前面下部保護部２１および背面下部保護部２２にまたがり設けられて腋下の脂肪を外側から内側に押し付けるための側部矯正部２３も含む。
【００３０】
インナーウェア１は以下の各生地により構成されている。
・人体の前面において肩下方およびバスト外側およびバスト下部を覆うように形成された前面Ｕ字表生地３１。
・前面Ｕ字表生地３１と同じ形状に形成されて前面Ｕ字表生地３１の裏側に重ね合わせられた状態で同生地３１に縫い付けられる前面Ｕ字裏生地３２。
・バストの外側下方の部分の形状に対応して形成されたバスト矯正表生地３３。
・バスト矯正表生地３３と同じ形状に形成されてバスト矯正表生地３３の裏側に重ね合わせられた状態で同生地３３に縫い付けられるバスト矯正裏生地３４。
・人体の肩を覆うように形成された肩表生地３５。
・肩表生地３５と同じ形状に形成されて肩表生地３５の裏側に重ね合わせられた状態で同生地３５に縫い付けられる肩裏生地３６。
・人体の腋下の側面およびその周囲を覆うように形成された側部矯正表生地３７。
・側部矯正表生地３７と同じ形状に形成されて側部矯正表生地３７の裏側に重ね合わせられた状態で同生地３７に縫い付けられる側部矯正裏生地３８。
・人体の前面において胸部の下部中央を覆うように形成された中下生地３９。
・人体の背面において背中の上部から下部までを覆うように形成された背面生地４１。
【００３１】
バスト矯正裏生地３４としては、人体の左側に設けられる左バスト矯正裏生地３４Ｌと、人体の右側に設けられる右バスト矯正裏生地３４Ｒとが各別に設けられている。
肩表生地３５としては、人体の左側に設けられる左肩表生地３５Ｌと、人体の右側に設けられる右肩表生地３５Ｒとが各別に設けられている。
【００３２】
肩裏生地３６としては、人体の左側に設けられる左肩裏生地３６Ｌと、人体の右側に設けられる右肩裏生地３６Ｒとが各別に設けられている。
側部矯正裏生地３８としては、人体の左側に設けられる左側部矯正裏生地３８Ｌと、人体の右側に設けられる右側部矯正裏生地３８Ｒとが各別に設けられている。
【００３３】
バスト矯正表生地３３としては、人体の左側に設けられる左バスト矯正表生地３３Ｌと、人体の右側に設けられる右バスト矯正表生地３３Ｒとが各別に設けられている。
側部矯正表生地３７としては、人体の左側に設けられる左側部矯正表生地３７Ｌと、人体の右側に設けられる右側部矯正表生地３７Ｒとが設けられている。
【００３４】
各生地の伸縮性の関係および厚みの関係を以下に示す。
・各生地３１〜４１のうちバスト矯正表生地３３および側部矯正表生地３７を除いた残りの生地としては、一般のインナーウェアに用いられる生地と同程度の伸縮性を有する弱伸縮性生地が用いられている。
・バスト矯正表生地３３および側部矯正表生地３７としては、弱伸縮性生地よりも強い伸縮性を有する強伸縮性生地が用いられている。
・バスト矯正表生地３３と側部矯正表生地３７とは互いに同じ伸縮性を有する。
・肩表生地３５の厚さは肩裏生地３６および前面Ｕ字表生地３１および前面Ｕ字裏生地３２および背面生地４１の厚さよりも厚い。
【００３５】
インナーウェア１のより詳細な構造について説明する。
上部保護部１０は、前面上部保護部１１と背面上部保護部１２と肩保護部１３とバスト矯正部１４の一部とにより構成されている。下部保護部２０は、前面下部保護部２１と背面下部保護部２２と側部矯正部２３とバスト矯正部１４の一部とにより構成されている。
【００３６】
インナーウェア１の前面には、バストを露出させるための前面開口部１５が形成されている。インナーウェア１の背面には、背中の上部を露出させるための背面開口部１６が形成されている。
【００３７】
インナーウェア１において、前面開口部１５を形成する各生地の縁、すなわち前面Ｕ字表生地３１および前面Ｕ字裏生地３２およびバスト矯正表生地３３およびバスト矯正裏生地３４および前面の肩表生地３５および前面の肩裏生地３６の縁と、背面開口部１６を形成する各生地の縁、すなわち背面の肩表生地３５および背面の肩裏生地３６および背面生地４１の縁とには、これら生地と折り返して縫い合わせられた内側縫合部５１が設けられている。また、肩まわりの開口部を形成する各生地の縁、すなわち前面Ｕ字表生地３１および前面Ｕ字裏生地３２および肩表生地３５および肩裏生地３６および側部矯正表生地３７および側部矯正裏生地３８および背面生地４１の縁には、これら生地と折り返して縫い合わせられた横側縫合部５２が設けられている。また、胴回りの開口部を形成する各生地の縁、すなわち前面Ｕ字表生地３１および前面Ｕ字裏生地３２および側部矯正表生地３７および側部矯正裏生地３８および中下生地３９および背面生地４１の縁には、これら生地と折り返して縫い合わせられた下側縫合部５３が設けられている。
【００３８】
図１に示されるように、前面上部保護部１１は、前面Ｕ字表生地３１および前面Ｕ字裏生地３２のうちの肩周りの開口部の下端よりも上側の部分と、バスト矯正表生地３３およびバスト矯正裏生地３４のうちの肩周りの開口部の下端よりも上側の部分と、肩表生地３５および肩裏生地３６のうちの前面の部分とにより構成されている。すなわち前面上部保護部１１は、前面Ｕ字表生地３１および前面Ｕ字裏生地３２が重ね合わせられた二重構造の部分を含む。前面上部保護部１１の左右方向の幅は、一般のブラジャーに設けられているストラップの左右方向の幅よりも大きい。
【００３９】
図２に示されるように、背面上部保護部１２は、背面生地４１のうちの肩周りの開口部の下端よりも上側の部分と、肩表生地３５および肩裏生地３６の背面側の部分とにより構成されている。
【００４０】
図１および図２に示されるように、肩保護部１３は、肩表生地３５および肩裏生地３６により構成されている。すなわち肩保護部１３は、肩表生地３５および肩裏生地３６が重ね合わせられた二重構造を有する。
【００４１】
図１に示されるように、バスト矯正部１４は、バスト矯正表生地３３およびバスト矯正裏生地３４により構成されている。すなわちバスト矯正部１４は、バスト矯正表生地３３およびバスト矯正裏生地３４が重ね合わせられた二重構造を有する。
【００４２】
図１に示されるように、前面下部保護部２１は、前面Ｕ字表生地３１および前面Ｕ字裏生地３２のうちの肩周りの開口部の下端よりも下側の部分と、バスト矯正表生地３３およびバスト矯正裏生地３４のうちの肩周りの開口部の下端よりも下側の部分と、側部矯正表生地３７および側部矯正裏生地３８の前面側の部分と、中下生地３９とにより構成されている。
【００４３】
図２に示されるように、背面下部保護部２２は、背面生地４１のうちの肩周りの開口部の下端よりも下側の部分と、側部矯正表生地３７および側部矯正裏生地３８の背面側の部分とにより構成されている。
【００４４】
図１および図２に示されるように、側部矯正部２３は、側部矯正表生地３７および側部矯正裏生地３８により構成されている。すなわち側部矯正部２３は、側部矯正表生地３７および側部矯正裏生地３８が重ね合わせられた二重構造を有する。
【００４５】
インナーウェア１の上記各生地の縫い合わせ部分においては、生地が折り返された状態、すなわち生地が外側に向けて倒された状態で生地同士が縫い合わせられている。言い換えると、生地の端が人体とは反対側を向くように生地同士が縫い合わせられている。
【００４６】
図３〜図５に、インナーウェア１を着用した人体の上半身の一部を示す。
前面上部保護部１１は、人体の前面において、肩１００下方からバスト２１０外側下方までを覆う。背面上部保護部１２は、人体の背面において、肩１００下方から背中上部４０１までを覆う。肩保護部１３は、胸部上部２０１の上方から背中上部４０１の上方まで、すなわち肩１００を覆う。バスト矯正部１４は、バスト２１０の外側上部から下側の一部までを覆う。
【００４７】
前面下部保護部２１は、図中の一点鎖線のアンダーバストライン２２０から胸部２００の下端までの部分を覆う。背面下部保護部２２は、背中中部４０２から背中４００の下端までの部分を覆う。側部矯正部２３は、人体の前面のうち胸部中部２０２から胸部２００の下端までの部分と、人体の背面のうち背中中部４０２から背中４００の下端までの部分と、人体の側面の部分（腋下の部分）とを覆う。
【００４８】
インナーウェア１を着用した人体に作用する力について説明する。
バスト２１０には、図３〜図５において矢印ＺＡで示される力、すなわちバスト２１０の外側下部から内側上部に向かう力がバスト矯正部１４により加えられる。このようにバスト２１０に加えられる力は、バスト２１０を外側から内側に寄せる力として、かつバスト２１０を下側から上側に持ち上げる力として作用する。
【００４９】
胸部中部２０２および胸部下部２０３の側面（背中中部４０２および背中下部４０３の側面）には、図３〜図５において矢印ＺＢで示される力、すなわち胸部中部２０２および胸部下部２０３の側面（背中中部４０２および背中下部４０３の側面）の外側から内側に向かう力が側部矯正部２３により加えられる。このように胸部中部２０２および胸部下部２０３の側面（背中中部４０２および背中下部４０３の側面）に加えられる力は、胸部中部２０２および胸部下部２０３の側面（背中中部４０２および背中下部４０３の側面）を外側から内側に押すための力として作用する。
【００５０】
図６〜図８を参照して、インナーウェア１およびブラジャー６００のそれぞれが人体に着用された状態においてのインナーウェア１とブラジャー６００との関係について説明する。
【００５１】
ブラジャー６００は、ブラジャー６００の位置を安定させるためのストラップ６１０と、バスト２１０を保持するためのカップ６３０と、人体の前面および背面にまたがり設けられてストラップ６１０およびカップ６３０を支持するパネル６２０とを含む。
【００５２】
ストラップ６１０は、人体の前面において胸部上部２０１に対応するストラップ前部６１１と、人体の背面に対応するストラップ後部６１２と、人体の肩１００に対応するストラップ肩部６１３とを含む。このブラジャー６００では、ストラップ前部６１１がカップ６３０に縫い付けられている。この他に、ストラップ前部６１１がパネル前部６２１に縫い付けられるタイプのブラジャーもある。
【００５３】
パネル６２０は、人体の前面の胸部中部２０２および胸部下部２０３に対応するパネル前部６２１と、人体の背面において背中中部４０２および背中下部４０３に対応するパネル後部６２２と、人体の側部に対応するパネル横部６２３とを含む。
【００５４】
パネル前部６２１においてバスト２１０に対応する部位には、バスト２１０を外側下方から内側に寄せて持ち上げるためのワイヤー６４０が設けられている。
パネル後部６２２にはストラップ後部６１２が縫い付けられている。パネル後部６２２において背中中部４０２と対応する部位には、パネル後部６２２の左側の生地と右側の生地とを互いに接続および離間するためのフックアイ６５０が設けられている。
【００５５】
着用時のインナーウェア１およびブラジャー６００の関係を以下に示す。
ストラップ前部６１１は、前面上部保護部１１の上に位置する。ストラップ後部６１２は、背面上部保護部１２の上に位置する。ストラップ肩部６１３は、肩保護部１３の上に位置する。パネル前部６２１は、前面下部保護部２１の上に位置する。パネル後部６２２は、背面下部保護部２２の上に位置する。パネル横部６２３は、側部矯正部２３の上に位置する。ワイヤー６４０は、前面下部保護部２１の上に位置する。フックアイ６５０は、背面下部保護部２２の上に位置する。なお、ストラップ前部６１１がパネル前部６２１に縫い付けられたブラジャーを着用した場合にも同様に、ストラップ前部６１１は前面上部保護部１１の上に位置する。
【００５６】
本実施形態によれば以下の効果を奏することができる。
（１）インナーウェア１には上部保護部１０が設けられているため、ユーザがインナーウェア１およびブラジャー６００を着用したとき、ストラップ６１０が上部保護部１０の上に位置する。また、インナーウェア１には下部保護部２０が設けられているため、ユーザがインナーウェア１およびブラジャー６００を着用したとき、パネル６２０が下部保護部２０の上に位置する。また、インナーウェア１には前面開口部１５が設けられているため、ユーザがインナーウェア１およびブラジャー６００を着用したとき、バスト２１０がブラジャー６００のカップ６３０により直接的に保持される。また、インナーウェア１には生地同士を接続および離間するための係止部材が含まれていないため、ユーザがインナーウェア１およびブラジャー６００を着用したとき、係止部材と肌との接触によりユーザが不快感を覚えることはない。すなわち、インナーウェア１によればブラジャー６００着用時の不快感を軽減することができる。
【００５７】
（２）インナーウェア１の各生地の縫い合わせ部分においては、生地が折り返された状態、すなわち生地が外側に向けて倒された状態で生地同士が縫い合わせられている。これにより、ユーザがインナーウェア１を着用したときの生地の端が肌に触れることが抑制されるため、同ウェア1の着心地をより良いものにすることができる。
【００５８】
（３）インナーウェア１の前面下部保護部２１には、前面Ｕ字表生地３１および前面Ｕ字裏生地３２が重ね合わせられた二重構造が採用されている。これにより、ユーザがインナーウェア１およびブラジャー６００を着用したとき、ブラジャー６００のパネル前部６２１に対応する部分の肌が２枚の生地により覆われるため、パネル前部６２１内のワイヤー６４０がユーザに与える不快感をより軽減することができる。
【００５９】
（４）インナーウェア１の前面上部保護部１１には、前面Ｕ字表生地３１および前面Ｕ字裏生地３２が重ね合わせられた二重構造が採用されている。これにより、ユーザがインナーウェア１およびブラジャー６００を着用したとき、ブラジャー６００のストラップ前部６１１に対応する部分の肌が２枚の生地により覆われるため、ストラップ前部６１１がユーザに与える不快感をより軽減することができる。
【００６０】
（５）インナーウェア１の肩保護部１３には、前面上部保護部１１を構成する前面Ｕ字表生地３１よりも厚手の生地が設けられている。これにより、ストラップ肩部６１３がユーザに与える不快感をより軽減することができる。
【００６１】
（６）インナーウェア１には、バスト２１０を外側下方から持ち上げて内側に寄せるためのバスト矯正部１４が設けられている。これにより、ブラジャー６００着用時のユーザに与える不快感を軽減することに加えて、バスト２１０の形を整えることもできる。
【００６２】
（７）インナーウェア１のバスト矯正部１４には、バスト矯正表生地３３およびバスト矯正裏生地３４が重ね合わせられた二重構造が採用されている。これにより、同矯正部１４が１枚の生地により構成される場合と比べて、バスト２１０の形を整える効果をより高めることができる。
【００６３】
（８）インナーウェア１には、胸部２００側面を外側から内側に向けて押すための側部矯正部２３が設けられている。これにより、腋下２３０およびその付近の側面の脂肪が内側に押さえ込まれるため、ブラジャー６００を着用したときに腋下２３０およびその付近の側面に脂肪の段が形成されることを抑制することができる。
【００６４】
（９）インナーウェア１の側部矯正部２３には、側部矯正表生地３７および側部矯正裏生地３８が重ね合わせられた二重構造が採用されている。これにより、同矯正部２３が１枚の生地により構成される場合と比べて、腋下２３０およびその付近の側部に脂肪の段が形成されることを抑制する効果をより高めることができる。
【００６５】
（１０）インナーウェア１は、上肢を露出する形状の上衣として構成されている。これにより、半袖被覆の下に着用することができる。
（１１）インナーウェア１の前面下部保護部２１の左右方向の中間には、弱伸縮性生地としての１枚の中下生地３９が設けられている。これにより、中下生地３９として強伸縮性生地が採用されている場合および弱伸縮性生地が２枚設けられている場合と比較して、ユーザがインナーウェア１を着用したときに同部分に加えられる圧迫感を小さくすることができる。
【００６６】
（１２）インナーウェア１の背面上部保護部１２および背面下部保護部２２は、弱伸縮性生地としての１枚の背面生地４１により構成されている。これにより、背面生地４１として強伸縮性生地が用いられている場合および弱伸縮性生地が２枚設けられている場合と比較して、ユーザがインナーウェア１を着用したときに背中４００に加えられる圧迫感を小さくすることができる。
【００６７】
（１３）インナーウェア１のバスト矯正部１４のバスト矯正裏生地３４には、強伸縮性生地よりもやわらかい弱伸縮性生地が用いられている。これにより、バスト矯正裏生地３４として強伸縮性生地が用いられている場合と比較して、ユーザがインナーウェア１を着用したときの着心地をより良いものにすることができる。
【００６８】
（１４）インナーウェア１の側部矯正部２３の側部矯正裏生地３８には、強伸縮性生地よりもやわらかい弱伸縮性生地が用いられている。これにより、側部矯正裏生地３８として強伸縮性生地が用いられている場合と比較して、ユーザがインナーウェア１を着用したときの着心地をより良いものにすることができる。
【００６９】
（１５）インナーウェア１の肩保護部１３の肩裏生地３６には、強伸縮性生地よりもやわらかい弱伸縮性生地が用いられている。これにより、肩裏生地３６として強伸縮性生地が用いられている場合と比較して、ユーザがインナーウェア１を着用したときの着心地をより良いものにすることができる。
【００７０】
（その他の実施形態）
なお、本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【００７１】
・上記実施形態では、図１および図３に示される形状の前面開口部１５をインナーウェア１に形成したが、前面開口部１５の形状を次のように変更することもできる。すなわち、図９（ａ）に示されるように、胸部上部２０１を覆うように形成された生地Ｘを前面開口部１５の上部に設けることもできる。また図９（ｂ）に示されるように、バスト２１０の間を含めた胸部２００の前面を覆う生地Ｘ１、およびこの生地Ｘ１を前面上部保護部１１に接続するための生地Ｘ２を前面開口部１５に設けることもできる。この場合には、図６に示されるバスト２１０の内側下方に位置するワイヤー６４０と肌との間に生地Ｘ１が位置するため、ワイヤー６４０がユーザに与える不快感を軽減することができる。
【００７２】
・上記実施形態では、図３〜図５に示されるように、胸部２００下端（背中４００下端）と対応する部位に下部保護部２０の下端を設けたが、下部保護部２０の下端の位置を変更することもできる。例えば、図１０（ａ）に示されるように、腹部３００（人体の背面においては腰部５００）の中間部に対応するところに下部保護部２０の下端を設けることもできる。この場合には、側部矯正部２３が腹部３００の側面を覆うため、腹部３００の側面に脂肪の段が形成さえること抑制することができる。
【００７３】
・上記実施形態では、図４および図５に示されるように、背中上部４０１から背中中部４０２に向かうにつれて左右方向の幅が次第に小さくなる背面開口部１６を背面上部保護部１２に設けているが、次のように変更することもできる。すなわち、図１０（ｂ）に示されるように、背面開口部１６を省略して背中４００の全体を覆うように背面上部保護部１２を形成することもできる。
【００７４】
・上記実施形態のインナーウェア１に対して、図１１（ａ）に示されるようにバスト２１０を保持するカップＹを追加することもできる。この場合にもインナーウェア１の上にブラジャー６００を着用することができる。
【００７５】
・上記実施形態では、上肢を覆う部分を含まないランニングタイプの下着としてインナーウェア１を形成しているが、上肢を覆う部分を含むタイプの下着としてインナーウェア１を形成することもできる。例えば、図１１（ｂ）に示されるように、半袖を含むＴシャツタイプの下着とすることもできる。また、肩１００から手首までの部分を覆う袖を長袖タイプの下着とすることもできる。
【００７６】
・上記実施形態では、図１および図３に示されるように中下生地３９を含めて前面下部保護部２１を形成しているが、図１１（ｃ）に示されるように中下生地３９を省略して前面下部保護部２１を形成することもできる。この場合には、前面Ｕ字表生地３１として中下生地３９に対応する部位を含めた形状のものが用いられる。
【００７７】
・上記実施形態では、前面上部保護部１１および前面下部保護部２１の構造として、それぞれ前面Ｕ字表生地３１および前面Ｕ字裏生地３２が重ね合わせられた二重構造を採用したが、前面Ｕ字表生地３１および前面Ｕ字裏生地３２のいずれか一方を省略して前面上部保護部１１を構成することもできる。また、前面Ｕ字表生地３１および前面Ｕ字裏生地３２にさらに別の生地を縫い合わせて三重以上の構造とすることもできる。
【００７８】
・上記実施形態では、前面上部保護部１１および前面下部保護部２１の構造として、それぞれ２枚の弱伸縮性生地が重ね合わせられた二重構造を採用したが、次のように変更することもできる。すなわち、少なくとも一方の弱伸縮性生地を薄手の強伸縮性生地または厚手の弱伸縮性生地または厚手の強伸縮性生地に変更することもできる。
【００７９】
・上記実施形態では、肩保護部１３の構造として、肩表生地３５および肩裏生地３６が重ね合わせられた二重構造を採用したが、肩表生地３５および肩裏生地３６のいずれか一方を省略して肩保護部１３を構成することもできる。また、肩表生地３５および肩裏生地３６にさらに別の生地を縫い合わせて三重以上の構造とすることもできる。
【００８０】
・上記実施形態では、肩保護部１３の構造として、薄手の弱伸縮性生地と厚手の弱伸縮性生地とが重ね合わせられた二重構造を採用したが、次のように変更することもできる。すなわち、薄手の弱伸縮性生地を薄手の強伸縮性生地または厚手の弱伸縮性生地または厚手の強伸縮性生地に変更することもできる。また、厚手の弱伸縮性生地を薄手の強伸縮性生地または厚手の強伸縮性生地または薄手の弱伸縮性生地に変更することもできる。また、これら生地の変更を組み合わせて行うこともできる。
【００８１】
・上記実施形態では、バスト矯正部１４の構造として、バスト矯正表生地３３およびバスト矯正裏生地３４が重ね合わせられた二重構造を採用したが、バスト矯正裏生地３４を省略してバスト矯正部１４を構成することもできる。また、バスト矯正表生地３３およびバスト矯正裏生地３４にさらに別の生地を縫い合わせて三重以上の構造とすることもできる。
【００８２】
・上記実施形態では、側部矯正部２３の構造として、側部矯正表生地３７および側部矯正裏生地３８が重ね合わせられた二重構造を採用したが、側部矯正裏生地３８を省略して側部矯正部２３を構成することもできる。また、側部矯正表生地３７および側部矯正裏生地３８にさらに別の生地を縫い合わせて三重以上の構造とすることもできる。
【００８３】
・上記実施形態では、バスト矯正部１４および側部矯正部２３を含めてインナーウェア１を構成したが、これら矯正部のうち少なくとも一方を省略してインナーウェア１を構成することもできる。
【００８４】
・上記実施形態では、肩保護部１３を含めて上部保護部１０を構成しているが、肩保護部１３を上部保護部１０から省略することもできる。この場合には、前面Ｕ字表生地３１および背面生地４１の少なくとも一方を延長することにより肩１００を覆う部分を形成することができる。
【００８５】
・上記実施形態では、側部矯正部２３を構成する生地（側部矯正表生地３７および側部矯正裏生地３８）の左右方向の幅を胸部中部２０２から胸部下部２０３に向けて次第に大きくしているが、各生地の左右方向の幅はこれに限られるものではない。例えば、上下方向の全体にわたり一定の大きさとすることもできる。
【００８６】
・上記実施形態では、前面Ｕ字表生地３１および前面Ｕ字裏生地３２およびバスト矯正裏生地３４および肩表生地３５および肩裏生地３６および側部矯正裏生地３８および中下生地３９および背面生地４１の伸縮性を互いに同じものとしたが、これら生地のうちの少なくとも２つの間において伸縮性の強弱を互いに異なるものにすることもできる。
【００８７】
・上記実施形態では、バスト矯正表生地３３および側部矯正表生地３７の伸縮性を互いに同じものとしたが、バスト矯正表生地３３の伸縮性を側部矯正表生地３７の伸縮性よりも大きくすることもできる。また反対に、側部矯正表生地３７の伸縮性をバスト矯正表生地３３の伸縮性よりも大きくすることもできる。
【００８８】
・上記実施形態では、弱伸縮性生地として一般のインナーウェアに用いられる生地と同程度の伸縮性を有するものを採用したが、強伸縮性生地よりも小さい伸縮性を有するものであれば、一般のインナーウェアに用いられる生地よりも大きい伸縮性を有する生地を弱伸縮性生地として用いることもできる。
【００８９】
・上記実施形態では、複数の生地を縫い合わせてインナーウェア１を編成したが、インナーウェア１の編成方法はこれに限られない。すなわち、インナーウェア１の全体を一体的に編成した一体編成品とすることもできる。この場合、複数段階の緊締力を有するパワーネット生地をインナーウェア１の生地の中に一体的に編成することもできる。
【００９０】
・上記実施形態では、インナーウェア１を非立体成型品として編成したが、編成組織をなす一方の編地および他方の編地を弾性糸で連結して立体編成した立体成型品としてインナーウェア１を編成することもできる。
【００９１】
・上記実施形態では、単一のインナーウェア１として本発明のインナーウェアを具体化したが、複数の上半身用被服を組み合わせたものとして本発明のインナーウェアを具体化することもできる。すなわち、本発明のインナーウェア１を上衣の裏側に縫い付け、これを本発明のインナーウェアを具体化した一態様とすることもできる。なお、このような形態で本発明を実施することのできる上衣の一例としては、トレーニングウェア、ヨットパーカ、スモック、プルオーバー、Ｔシャツ及びトレーナが挙げられる。
【符号の説明】
【００９２】
１…インナーウェア、１０…上部保護部、１１…前面上部保護部（肩下部）、１２…背面上部保護部、１３…肩保護部（肩上部）、１４…バスト矯正部、１５…前面開口部、１６…背面開口部、２０…下部保護部、２１…前面下部保護部、２２…背面下部保護部、２３…側部矯正部、３１…前面Ｕ字表生地、３２…前面Ｕ字裏生地、３３…バスト矯正表生地、３３Ｌ…左バスト矯正表生地、３３Ｒ…右バスト矯正表生地、３４…バスト矯正裏生地、３４Ｌ…左バスト矯正裏生地、３４Ｒ…右バスト矯正裏生地、３５…肩表生地、３５Ｌ…左肩表生地、３５Ｒ…右肩表生地、３６…肩裏生地、３６Ｌ…左肩裏生地、３６Ｒ…右肩裏生地、３７…側部矯正表生地、３７Ｌ…左側部矯正表生地、３７Ｒ…右側部矯正表生地、３８…側部矯正裏生地、３８Ｌ…左側部矯正裏生地、３８Ｒ…右側部矯正裏生地、３９…中下生地、４１…背面生地、５１…内側縫合部、５２…横側縫合部、５３…下側縫合部、１００…肩、２００…胸部、２０１…胸部上部、２０２…胸部中部、２０３…胸部下部、２１０…バスト、２２０…アンダーバストライン、２３０…腋下、３００…腹部、４００…背中、４０１…背中上部、４０２…背中中部、４０３…背中下部、５００…腰部、６００…ブラジャー、６１０…ストラップ、６１１…ストラップ前部、６１２…ストラップ後部、６１３…ストラップ肩部、６２０…パネル、６２１…パネル前部、６２２…パネル後部、６２３…パネル横部、６３０…カップ、６４０…ワイヤー、６５０…フックアイ。
【図１】
2011195994.tif 000003
【図２】
2011195994.tif 000004
【図３】
2011195994.tif 000005
【図４】
2011195994.tif 000006
【図５】
2011195994.tif 000007
【図６】
2011195994.tif 000008
【図７】
2011195994.tif 000009
【図８】
2011195994.tif 000010
【図９】
2011195994.tif 000011
【図１０】
2011195994.tif 000012
【図１１】
2011195994.tif 000013